(57)【要約】      （修正有）【課題】扉用解錠工具に取付けることにより各種サムターンの上下の面を挟んで解錠するクリップを提供する。【解決手段】解錠を行うサムターンの形状に合った５種類のクリップの中からいずれかを選択し、クリップ着脱部に装着し、クリップを扉用解錠工具に取付け、クリップを取付けた扉用解錠工具を扉に取付けられたレンズ付き覗き窓の取付孔から挿入し、扉用解錠工具を操作する事で、サムターンツマミ部分の上下面部分を挟みサムターンを回動させ解錠する。【選択図】図１３
2017096078.tif 000002
【特許請求の範囲】
【請求項１】
サムターンツマミの上下の面を挟む為の空間を持ち、サムターン回しによる不正開錠を防止する機能を有するサムターンのその機能を解除出来る構造のクリップ部とクリップ部と着脱可能な反発部で構成される本発明の使用方法
【請求項２】
請求項１の反発部に着脱可能な偏心サムターン解錠用クリップ１の形状及び構造（図１）（図２）
【請求項３】
請求項１の反発部に着脱可能なスイッチサムターン解錠用クリップ２の形状及び構造（図３）（図４）
【請求項４】
請求項１の反発部に着脱可能な可倒式サムターン左勝手解錠用クリップ３の形状及び構造（図５）（図６）
【請求項５】
請求項１の反発部に着脱可能な可倒式サムターン右勝手解錠用クリップ４の形状及び構造（図７）（図８）
【請求項６】
請求項１の反発部に着脱可能な楕円型サムターン左勝手解錠用クリップ５の形状及び構造（図９）（図１０）
【請求項７】
請求項１の反発部の形状及び構造（図１１）（図１２）
【発明の詳細な説明】
【技術分野】
【０００１】  本発明は、鍵の紛失や盗難その他の事情により、建物の扉に取付けられた錠前の解錠が困難な状況にある場合に、扉に取付けられたレンズ付きの覗き窓から、扉の室内側に取付けられた防犯性の高いサムターンを含む各種のサムターンを回転させて解錠するものである。
【背景技術】
【０００２】  従来、鍵の紛失や盗難その他の事情により、錠前を取扱う業者が解錠を行う手法として、鍵穴に特殊な工具を直接挿入し解錠するピッキング解錠が行われてきたが、ピッキング解錠による空巣等の事案が多発した事から、近年では、ピッキング解錠対策が施された錠が普及しピッキング解錠が困難となった。
近年では、ピッキング解錠対策が施された錠の普及の伴い、扉に取付けられたレンズ付きの覗き窓から解錠工具を挿入し、工具先端に取付けられたマッシュタイプ又は鎌タイプの先端を用いて解錠する方法（特許文献１）や、解錠工具の先端に取付けられたアタッチメントをサムターンの側面に接触させてサムターンを回動させる方法（特許文献２）がある。
しかし、従来行われてきたサムターン回しによる解錠方法では、解錠が困難な、サムターンのツマミ部分に取付けられたスイッチボタンを摘む事によりサムターンの回転が可能となるスイッチ付サムターンやサムターンの側面から力を加えるとサムターンが回転しない偏心サムターン及び施錠時にサムターンが下方向に折れる可倒式サムターン等の防犯サムターンが普及する事により、解錠業務を行う業者は、防犯サムターンの取付けられた錠前を解錠を行う場合、錠を破壊し施錠を解く方法で解錠作業を行っており、解錠依頼者にとっては、錠の破壊に伴う錠の修復費用が発生する事となり、金銭的な負担が増加すると同時に、錠を破壊する際に発生する騒音によるトラブルも発生する事がある。
【先行技術文献】
【０００３】
【特許文献１】  特開２００３−１７２０５１公報
【特許文献２】  特開２００３−３２８６１１公報
【発明の概要】
【発明が解決しようとする課題】
【０００４】  従来のサムターン回しによる解錠方法では、解錠が困難であった防犯サムターンを含めた各種のサムターンのサムターン回し解錠を、現在、錠前の解錠に携る多くの業者が使用している特開２００３−１７２０５１公報で開示された把手の操作により芯棒状部分が伸縮自在な機能を有する扉用解錠工具及び同様の機能を有する扉用解錠工具に本発明を取付ける事により、各種のサムターンの上下の面を挟み解錠する事を可能にする。
【課題を解決するための手段】
【０００５】  本発明は、サムターンのツマミ部分が平面な形状の一般的なサムターン及びサムターンの側面から力を加えるとサムターンが回転しない偏心サムターン用のクリップ１、サムターンのツマミ上下平面部にスィッチボタンの付いたタイプのスイッチ付サムターン用のクリップ２、施錠時にサムターンのツマミ部が床方向に倒れるタイプの可倒サムターンが扉室内側から見て扉の左側に取付けられている可倒式サムターン用のクリップ３、可倒サムターンが扉室内側から見て扉の右側に取付けられている可倒式サムターン用のクリップ４、サムターンの形状が楕円形状用のサムターン用のクリップ５の５種類のクリップ１〜５と反発部で構成し、クリップ１〜５と反発部は、着脱できる構造とし、解錠を行うサムターンの形状に合ったクリップ１〜５のいずれかを選択し、クリップ着脱部に装着し、本発明品を扉用解錠工具に取付け、本発明を取付けた扉用解錠工具を扉に取付けられたレンズ付き覗き窓の取付孔から挿入し、扉用解錠工具を操作する事で、サムターンツマミ部分の上下面部分を挟みサムターンを回動させ解錠する事が可能となる。
【発明の効果】
【０００６】  本発明品を使用する事により、解錠が困難とされていた防犯サムターンを含む各種のサムターンのサムターン回し解錠が可能となり、従来の錠を破壊し施錠を解く必要が無くなり、解錠依頼者は、錠を破壊に伴う錠の修復費用の負担が無く、また、錠の破壊に伴う騒音が発生しない為、夜間、深夜、早朝の時間帯の解錠作業を行っても近隣住人との騒音トラブルが発生しない。
本発明を使用する際の扉開錠用工具は、解錠業務を行う多くの業者が日常使用しているもので、扉開錠用工具を所有している業者にとっては、本発明を使用する為に、新たに工具を購入する必要が無く工具購入費用の必要が無くなる。
【図面の簡単な説明】
【０００７】
【図１】クリップ１（１Ａ）部品図
【図２】クリップ１（１Ａ）完成図
【図３】クリップ２（２Ａ）部品図
【図４】クリップ２（２Ａ）完成図
【図５】クリップ３（３Ａ）部品図
【図６】クリップ３（３Ａ）完成図
【図７】クリップ４（４Ａ）部品図
【図８】クリップ４（４Ａ）完成図
【図９】クリップ５（５Ａ）部品図
【図１０】クリップ５（５Ａ）完成図
【図１１】反発部（Ｂ）部品図
【図１２】反発部（Ｂ）完成図
【図１３】クリップ１装着時の挿入図
【図１４】クリップ１使用時のサムターンの動き
【図１５】スイッチサムターン上面図
【図１６】スイッチサムターン正面図
【図１７】クリップ２使用時のサムターンの動き
【図１８】クリップ２がスイッチサムターンのスイッチボタンを挟んだ図
【図１９】可倒式サムターンの正面図
【図２０】可倒式サムターンの側面図
【図２１】可倒式サムターンツマミを起した状態の側面図
【図２２】楕円型サムターンの正面図
【発明を実施する為の形態】
【０００８】１、  クリップ１（１Ａ）［図１］［図２］は、下部クリップ（１Ａ−ａ）と上部クリップ（１Ａ−ｂ）をクリップ保持部（Ａｃ）で結合し一体化させたもので、下部クリップ（１Ａ−ａ）と上部クリップ（１Ａ−ｂ）は、二辺の平行する長形の板を用い、下部クリップ（１Ａ−ａ）の各部を、先端ガイド部（１Ａ−ａ１）、下クリップ部（１Ａ−ａ２）、下ストッパー部（１Ａ−ａ３）、下クリップ保持部（１Ａ−ａ４）とし上部クリップ（１Ａ−ｂ）の各部を、角度補正ガイド部（１Ａ−ｂ１）、上クリップ部（１Ａ−ｂ２）、上ストッパー部（１Ａ−ｂ３）、上クリップ保持部（１Ａ−ｂ４）とし、その形状は、下クリップ保持部（１Ａ−ａ４）と上クリップ保持部（１Ａ−ｂ４）を、下方向見て、下クリップ保持部（１Ａ−ａ４）と上クリップ保持部（１Ａ−ｂ４）の平面部を合わせ、側面か見て下部クリップ（１Ａ−ａ）を左、上部クリップ（１Ａ−ｂ）を右にし、下クリップ保持部（１Ａ−ａ４）と下ストッパー部（１Ａ−ａ３）の境となる面は左方向へ屈折し、上クリップ保持部（１Ａ−ｂ４）と上ストッパー部（１Ａ−ｂ３）の境となる面は右方向へ屈折し、下ストッパー部（１Ａ−ａ３）と下クリップ部（１Ａ−ａ２）の境となる面は右方向へ屈折し、上ストッパー部（１Ａ−ｂ３）と上クリップ部（１Ａ−ｂ２）の境となる面を左方向へ屈折し、下クリップ部（１Ａ−ａ２）、下ストッパー部（１Ａ−ａ３）、下クリップ保持部（１Ａ−ａ４）、と上クリップ部（１Ａ−ｂ２）、上ストッパー部（１Ａ−ｂ３）、上クリップ保持部（１Ａ−ｂ４）、は、下クリップ部（１Ａ−ａ２）と上クリップ部（１Ａ−ｂ２）の間にサムターンツマミ部分を挟む為の空間を持つ左左右対称の下クリップ部（１Ａ−ａ２）と上クリップ部（１Ａ−ｂ２）が平行する形状とし、先端ガイド部（１Ａ−ａ１）は、先端ガイド部（１Ａ−ａ１）と下クリップ部（１Ａ−ａ２）の境となる面から先端ガイド部（１Ａ−ａ１）の先端は、右方向へ孤を描く形状とし、角度補正ガイド（１Ａ−ｂ１）は、先端ガイド部（１Ａ−ａ１）より短くし、角度補正ガイド部（１Ａ−ｂ１）と上クリップ部（１Ａ−ｂ２）との境の面から右方向に円孤状に湾曲させた形状とする。
下クリップ部（１Ａ−ａ）の下クリップ保持部（１Ａ−ａ２）と下クリップ部（１Ａ−ｂ）の上クリップ保持部（１Ａ−ｂ４）の平面部を合わせ、クリップ保持部（Ａｃ）の上下クリップ連結部（Ａｃ−１）に挿入し、クリップ１（１Ａ）とする。
クリップ１（１Ａ）［図１］［図２］の平面部を左右対称の形状にすることにより、本発明を使用してサムターン回し解錠を行う際に、本発明を挿入するレンズ付き覗き窓の取付孔の左右いずれの側にサムターンが取付けられていても、下部クリップ（１Ａ−ａ）を扉の下側、上部クリップ（１Ａ−ｂ）を扉の上側にし、使用する事が可能である。
２、  クリップ２（２Ａ）［図３］［図４］は、下部クリップ（２Ａ−ａ）と上部クリップ（２Ａ−ｂ）をクリップ保持部（Ａｃ）で結合し一体化させたもので、下部クリップ（２Ａ−ａ）の各部を、先端ガイド部（２Ａ−ａ１）、下クリップ部（２Ａ−ａ２）、下ストッパー部（２Ａ−ａ３）、下クリップ保持部（２Ａ−ａ４）とし、上部クリップ（２Ａ−ｂ）の各部を、角度補正ガイド部（２Ａ−ｂ１）、上クリップ部（２Ａ−ｂ２）、上ストッパー部（２Ａ−ｂ３）、上クリップ保持部（２Ａ−ｂ４）とし、その形状は、下クリップ保持部（２Ａ−ａ４）と上クリップ保持部（２Ａ−ｂ４）を下方向し、下クリップ保持部（２Ａ−ａ４）と上クリップ保持部の平面部を合わせ、側面か見て下部クリップ（２Ａ−ａ）を左、上部クリップ（２Ａ−ｂ）を右にし、下クリップ保持部（２Ａ−ａ４）と下ストッパー部（２Ａ−ａ３）の境となる面を左方向へ屈折し、上クリップ部（２Ａ−ｂ４）と上ストッパー部（２Ａ−ｂ３）の境となる面を右方向へ屈折し、下ストッパー部（２Ａ−ａ３）と下クリップ部（２Ａ−ａ２）の境となる面は右方向へ屈折し、上ストッパー部（２Ａ−ｂ３）と上クリップ部（２Ａ−ｂ２）の境となる面を左方向へ屈折し、下クリップ部（２Ａ−ａ２）の上下の中心を左方向に屈折し、上クリップ部（２Ａ−ｂ２）の上下の中心を右方向に屈折し、下クリップ部（２Ａ−ａ２）、下ストッパー部（２Ａ−ａ３）、下クリップ保持部（１Ａ−ａ４）、と上クリップ部（２Ａ−ｂ２）、上ストッパー部（２Ａ−ｂ３）、上クリップ保持部（２Ａ−ｂ４）、は、下クリップ部（２Ａ−ａ２）と上クリップ部（２Ａ−ｂ２）の間にサムターンツマミ部分を挟む為の空間を持つ左左右対称の形状となり、先端ガイド部（２Ａ−ａ１）は、先端ガイド部（２Ａ−ａ１）と下クリップ部（２Ａ−ａ２）の境となる面から先端ガイド部（２Ａ−ａ１）の先端は、右方向へ孤を描く形状とし、角度補正ガイド（２Ａ−ｂ１）は、先端ガイド部（１Ａ−ａ１）より短くし、角度補正ガイド部（２Ａ−ｂ１）と上クリップ部（２Ａ−ｂ２）との境の面から右方向に円孤状に湾曲させた形状とする。
クリップ２（２Ａ）［図３］［図４］の平面の形状は、先端ガイド部（１Ａ−ａ１）と角度補正ガイド（２Ａ−ｂ１）を除き同一の形状とし、下クリップ保持部（２Ａ−ａ４）を下方向に見て、下部クリップ（２Ａ−ａ）の下クリップ保持部（２Ａ−ａ４）と下ストッパー部（２Ａ−ａ３）は、下クリップ保持部（２Ａ−ａ４）端から下ストッパー部（２Ａ−ａ３）と下クリップ部（２Ａ−ａ２）の境の面迄を長方形とし、下クリップ部（２Ａ−ａ２）は、下ストパー部（２Ａ−ａ３）と下クリップ部（２Ａ−ａ２）の境となる左右の側面から下クリップ部（２Ａ−ａ２）と先端ガイド部（２Ａ−ａ１）の境となる左右の側面迄を楕円形状の孤を描く形状とし、先端ガイド部（２Ａ−ａ１）と下クリップ部（２Ａ−ａ２）の境となる部分の幅を下ストパー部（２Ａ−ａ３）と下クリップ部（２Ａ−ａ２）の境部分の幅と同一の幅とし、下クリップ部（２Ａ−ａ２）は、左右、上下が対象の形状とし、先端ガイド部（２Ａ−ａ１）は、下クリップ部（２Ａ−ａ２）と先端ガイド部（２Ａ−ａ１）の境の幅と同一の平行する幅とし、その先端部は角部を無くし円弧状とし扉及びサムターンその他周辺部を傷つけない形状とする。
上部クリップ（２Ａ−ｂ）は、角度補正部（２Ａ−ｂ）を除き、上クリップ保持部（２Ａ−ｂ４）と下クリップ保持部（２Ａ−ａ４）、上ストッパー部（２Ａ−ｂ３）と下ストッパー部（２Ａ−ａ３）、上クリップ部（２Ａ−ｂ２）と下クリップ部（２Ａ−ａ２）の其々は同一の形状とし、角度補正ガイド部（２Ａ−ｂ１）は、は、先端ガイド部（２Ａ−ａ２）と同一の幅とし、上ストッパー部（２Ａ−ｂ３）の境から角度補正ガイド部（２Ａ−ｂ１）の先端迄の長さは、下ストッパー部（２Ａ−ａ３）と先端ガイド部（２Ａ−ａ１）の境から先端ガイド部（２Ａ−ａ１）の先端迄の長さより短く、その先端部は角部を無くし円弧状とし扉及びサムターンその他周辺部を傷つけない形状とする。
下クリップ部（２Ａ−ａ）の下クリップ保持部（２Ａ−ａ２）と下クリップ部（２Ａ−ｂ）の上クリップ保持部（２Ａ−ｂ４）の平面部を合わせ、クリップ保持部（Ａｃ）の上下クリップ連結部（Ａｃ−１）に挿入し、クリップ２（２Ａ）とする。
３、  クリップ３（３Ａ）［図５］［図６］は、下部クリップ（３Ａ−ａ）と上部クリップ（３Ａ−ｂ）をクリップ保持部（Ａｃ）で結合し一体化させたもので、下部クリップ（３Ａ−ａ）の各部を、先端ガイド部（３Ａ−ａ１）、下クリップ部（３Ａ−ａ２）、下ストッパー部（３Ａ−ａ３）、下クリップ保持部（３Ａ−ａ４）とし、上部クリップ（３Ａ−ｂ）の各部を、角度補正ガイド部（３Ａ−ｂ１）、上クリップ部（３Ａ−ｂ２）、上ストッパー部（３Ａ−ｂ３）、上クリップ保持部（３Ａ−ｂ４）とし、その形状は、先端ガイド部（３Ａ−ａ１）を除き、クリップ１（１Ａ）の形状と同一な形状で、先端ガイド部（３Ａ−ａ１）の形状は、下クリップ保持部を下にし、平面を見て下クリップ部（３Ａ−ａ２）と先端ガイド部（３Ａ−ａ１）の境となる部分の左右の端部から先端ガイド部（３Ａ−ａ１）の先端右端を結ぶ不等辺三角形の形状とする。
下クリップ部（３Ａ−ａ）の下クリップ保持部（３Ａ−ａ２）と下クリップ部（３Ａ−ｂ）の上クリップ保持部（３Ａ−ｂ４）の平面部を合わせ、クリップ保持部（Ａｃ）の上下クリップ連結部（Ａｃ−１）に挿入し、クリップ３（３Ａ）とする。
４、  クリップ４（４Ａ）［図７］［図８］は、下部クリップ（４Ａ−ａ）と上部クリップ（４Ａ−ｂ）をクリップ保持部（Ａｃ）で結合し一体化させたもので、下部クリップ（４Ａ−ａ）の各部を、先端ガイド部（４Ａ−ａ１）、下クリップ部（４Ａ−ａ２）、下ストッパー部（４Ａ−ａ３）、下クリップ保持部（４Ａ−ａ４）とし、上部クリップ（４Ａ−ｂ）の各部を、角度補正ガイド部（４Ａ−ｂ１）、上クリップ部（４Ａ−ｂ２）、上ストッパー部（４Ａ−ｂ３）、上クリップ保持部（４Ａ−ｂ４）とし、その形状は、先端ガイド部（４Ａ−ａ１）を除き、クリップ１（１Ａ）の形状と同一な形状で、先端ガイド部（４Ａ−ａ１）の形状は、下クリップ保持部（４Ａ−ａ４）を下にし、平面を見て下クリップ部（４Ａ−ａ２）と先端ガイド部（４Ａ−ａ１）の境となる部分の左右の端部から先端ガイド部（４Ａ−ａ１）の先端左端を結ぶ不等辺三角形の形状とする。
下クリップ部（４Ａ−ａ）の下クリップ保持部（４Ａ−ａ２）と下クリップ部（４Ａ−ｂ）の上クリップ保持部（４Ａ−ｂ４）の平面部を合わせ、クリップ保持部（Ａｃ）の上下クリップ連結部（Ａｃ−１）に挿入し、クリップ４（４Ａ）とする。
５、  クリップ５（５Ａ）［図９］［図１０］は、下部クリップ（５Ａ−ａ）と上部クリップ（５Ａ−ｂ）をクリップ保持部（Ａｃ）で結合し一体化させたもので、下部クリップ（５Ａ−ａ）と上部クリップ（５Ａ−ｂ）は、二辺の平行する長形の板を用い、下部クリップ（５Ａ−ａ）の各部を、先端ガイド部（５Ａ−ａ１）、下クリップ部（５Ａ−ａ２）、下ストッパー部（５Ａ−ａ３）、下クリップ保持部（５Ａ−ａ４）とし上部クリップ（５Ａ−ｂ）の各部を、角度補正ガイド部（５Ａ−ｂ１）、上クリップ部（５Ａ−ｂ２）、上ストッパー部（５Ａ−ｂ３）、上クリップ保持部（５Ａ−ｂ４）とし、その形状は、下クリップ保持部（５Ａ−ａ４）と上クリップ保持部（５Ａ−ｂ４）を下方向し、下クリップ保持部（５Ａ−ａ４）と上クリップ保持部（５Ａ−ｂ４）の平面部を合わせ、側面か見て下部クリップ（５Ａ−ａ）を左、上部クリップ（５Ａ−ｂ）を右にし、下クリップ保持部（５Ａ−ａ４）と下ストッパー部（５Ａ−ａ３）の境となる面は左方向へ屈折し、上クリップ部（５Ａ−ｂ４）と上ストッパー部（５Ａ−ｂ３）の境となる面は右方向へ屈折し、下ストッパー部（５Ａ−ａ３）と下クリップ部（５Ａ−ａ２）の境から、下クリップ部（５Ａ−ａ２）と先端ガイド部（５Ａ−ａ２）の境を、楕円状の孤を描く形状とし、上クリップ部（５Ａ−ｂ２）は、下クリップ部（５Ａ−ａ２）と対象となる形状とし、先端ガイド部（５Ａ−ａ１）は、下クリップ部（５Ａ−ａ２）と先端ガイド部の境を左方向に屈折し、その部分から先端ガイド部（５Ａ−ａ１）の先端迄を孤を描く形状とし、角度補正ガイド部（５Ａ−ｂ１）は、上クリップ部（５Ａ−ｂ２）と角度補正ガイド部の境を右方向に屈折し、その部分から角度補正ガイド部（５Ａ−ｂ１）の先端迄は、孤を描く形状とし、その長さは、先端ガイド部（５Ａ−ａ１）の長さより短くする。
下クリップ部（５Ａ−ａ）の下クリップ保持部（５Ａ−ａ２）と下クリップ部（５Ａ−ｂ）の上クリップ保持部（５Ａ−ｂ４）の平面部を合わせ、クリップ保持部（Ａｃ）の上下クリップ連結部（Ａｃ−１）に挿入し、クリップ５（５Ａ）とする。
６、  クリップ１（１Ａ）〜クリップ５（５Ａ）の下部クリップ（（１Ａ−ａ）（２Ａ−ａ）（３Ａ−ａ）（４Ａ−ａ）（５Ａ−ａ））及び上部クリップ（（１Ａ−ｂ）（２Ａ−ｂ）（３Ａ−ｂ）（４Ａ−ｂ）（５Ａ−ｂ））は、ばね鋼等の形状弾性を有する薄板状の素材を用いたものである。
７、  反発部（Ｂ）［図１１］［図１２］は、クリップ着脱部（Ｂａ）、スプリング部（Ｂｂ）、装着部（Ｂｃ）、で構成し、装着部（Ｂｃ）は、装着部（Ｂｃ）とスプリング部（Ｂｂ）と連結させるスプリング部接続部（Ｂｃ−１）、本発明を扉用解錠工具に取付ける為の固定螺子部（Ｂｃ−２）、本発明の扉用解錠工具へ取付け固定する、固定ナット（Ｂｃ−３）に分類する。
クリップ脱着部（Ｂａ）、とスプリング部（Ｂｂ）は、コイルスプリング若しくは、同等の弾性のある素材を用いた一体のものとし、クリップ着脱部（Ｂａ）端面にクリップ保持部（Ａｃ）脱着用の凹部を設け、相対するスプリング部（Ｂｂ）側の端面に、スプリング部接続部（Ｂｃ−１）と連結させる凹を設け、スプリング部接続部（Ｂｃ−１）スプリング部（Ｂｂ）の凹と嵌合し、固定螺子部（Ｂｃ−２）から、固定ナット（Ｂｃ−３）内周をスプリング部外周と嵌合させ固定する。
【０００９】１、  クリップ１（１Ａ）［図１］［図２］は、一般的なサムターンとサムターンツマミの一方の側面から力を加えるとサムターンが回動しない機構を持つサムターンに使用するものである。
ア、  クリップ１（１Ａ）［図１］［図２］を使用した一般的なサムターンの解錠方法［図１３］［図１４］は、クリップ１（１Ａ）と反発部（Ｂ）を連結し、扉解錠用工具の先端に取付け、解錠しようとする扉に取付けられたレンズ付き覗き窓を取外し、その取付孔から扉用解錠用工具に装着されたクリップ１（１Ａ）を下クリップ部（１Ａ−ａ）を扉下側、上クリップ部（１Ａ−ａ）を扉上側にして挿入し、扉用解錠用工具を操作し、下クリップ部（１Ａ−ａ）の先端ガイド部（１Ａ−ａ１）の扉上部方向の面をサムターンツマミの側面下側に接触させた状態で、扉用解錠工具を操作しクリップ１（１Ａ）をサムターン側に圧しこむ事により、角度補正ガイド部（１Ａ−ｂ１）がサムターンツマミ上平面部に接触し、さらにサムターン側に圧しこむ事により、下部クリップ（１Ａ−ａ）は、扉下方向へ、上部クリップ（１Ａ−ｂ）は、扉上方向へ押し広げる力が加わるが、下部クリップ（１Ａ−ａ）と上部クリップ（１Ａ−ｂ）の素材の持つ形状弾性により下部クリップ（１Ａ−ａ）は、サムターンツマミ側面下部を扉上方向へ押し上げる力が発生し、上部クリップ（１Ａ−ｂ）は、サムターンツマミ上部平面部を扉下方向へ押し下げる力が発生するが、扉用解錠工具を操作により、反発部（Ｂ）のスプリング部（Ｂｂ）を扉下部方向へ屈折させることにより、スプリング部（Ｂｂ）の形状弾性により発生した扉上方向へ復元しようとする力と下部クリップ（１Ａ−ａ）に発生した扉上方向への力が合致し、上部クリップ（１Ａ−ｂ）のサムターン平面上部を扉下方向へ押し下げる力に勝り、サムターンは、扉用解錠工具の挿入部とサムターンツマミの回転軸を結ぶ線上迄回動し、反発部（Ｂ）のスプリング部（Ｂｂ）は、形状復帰した状態となる。
更に扉用開錠用工具を操作し、扉用解錠工具の先端部分を戸先方向へ移動させ、反発部（Ｂ）のスプリング部（Ｂｂ）を戸先方向へ屈折させながら、クリップ１（１Ａ）をサムターン側に圧しこむ事により、サムターンは、解錠方向へ回動し解錠となる。
イ、クリップ１（１Ａ）使用した偏心サムターンの解錠方法
偏心サムターンは、サムターンツマミの回転軸を中心としてサムターンツマミに回動する力を加える事により回動し解錠となり、従来行われてきたサムターンツマミの側面に扉用解錠工具先端を接触させて解錠方法では解錠が困難である。
クリップ１（１Ａ）を使用して偏心サムターンを解錠するには、偏心サムターンは、サムターンツマミの回転軸を中心としてサムターンツマミに回動する力を加える事により回動する機構となっている事を利用し、解錠を行う。
クリップ１（１Ａ）と反発部（Ｂ）を連結し、扉解錠用工具の先端に取付け、解錠しようとする扉に取付けられたレンズ付き覗き窓を取外し、その取付孔から扉用解錠用工具に装着されたクリップ１（１Ａ）を下クリップ部（１Ａ−ａ）を扉下側、上クリップ部（１Ａ−ａ）を扉上側にして挿入し、扉用解錠用工具を操作し、下クリップ部（１Ａ−ａ）の先端ガイド部（１Ａ−ａ１）の扉上部方向の面をサムターンツマミの側面下側に接触させた状態で、扉用解錠工具を操作しクリップ１（１Ａ）をサムターン側に圧しこむ事により、角度補正ガイド部（１Ａ−ｂ１）がサムターンツマミ上平面部に接触し、さらにサムターン側に圧しこむ事により、下部クリップ（１Ａ−ａ）は、扉下方向へ、上部クリップ（１Ａ−ｂ）は、扉上方向へ押し広げる力が加わるが、下部クリップ（１Ａ−ａ）と上部クリップ（１Ａ−ｂ）の素材の持つ形状弾性により下部クリップ（１Ａ−ａ）は、サムターンツマミ側面下部を扉上方向へ押し上げる力が発生し、上部クリップ（１Ａ−ｂ）は、サムターンツマミ上部平面部を扉下方向へ押し下げる力が発生するが、扉用解錠工具を操作により、反発部（Ｂ）のスプリング部（Ｂｂ）を扉下部方向へ屈折させることにより、スプリング部（Ｂｂ）の形状弾性により発生した扉上方向へ復元しようとする力と下部クリップ（Ａａ）に発生した扉上方向への力が合致し、上部クリップ（Ａｂ）のサムターン平面上部を扉下方向へ押し下げる力に勝り、一般的なサムターンの場合は解錠となるが、偏心サムターンの場合、サムターンのツマミ回転軸を中心に回動する力を加えない限り回動しない為、扉用解錠工具を操作し、クリップ１（１Ａ）を更に押込みながら、扉用解錠工具先端部を扉上方向動かす力を加える事で、反発部（Ｂ）のスプリング部（Ｂｂ）の弾性により、クリップ１（１Ａ）は、戸先方向へ進行し、下部クリップ（１Ａ−ａ）の下クリップ部（１Ａ−ａ２）が扉中心部側のサムターンツマミ側面下部を押し上げる力を加え、上部クリップ（１Ａ−ｂ）の上クリップ部（１Ａ−ｂ２）が対向するサムターンツマミ側面上部に押し下げる力を加える事になり、扉用解錠工具の挿入部とサムターンツマミの回転軸を結ぶ線上迄回動させる事が出来る。
更に扉開錠用工具を操作し、反発部反発部（Ｂ）のスプリング部（Ｂｂ）を扉上部方向へ屈折させながら、クリップ１（１Ａ）をサムターン側に圧しこむ事により、サムターンは、解錠方向へ回動し解錠となる。
２、  クリップ２（２Ａ）［図３］［図４］を使用したスイッチサムターンの開錠を行うクリップである［図１４］［図１５］［図１６］［図１７］
スイッチサムターンは、サムターンツマミ上下面部にあるスイッチボタンを挟む事によりサムターン内部のロック機構が解除されサムターンの回動が可能となるサムターンで、従来の解錠方法では解錠が困難なサムターンである。
スイッチサムターンのスイッチボタンの付いた上下のツマミ面は外周からスイッチサムターンツマミ部分の取付部方向に窪む形状で、スイッチボタンは、卵型の丸みを帯びた形状となっている。
その解錠方法は、クリップ２（２Ａ）を反発部（Ｂ）と連結し、扉用解錠工具に取付け、扉に取付けられたレンズ付き覗き窓の取付孔からクリップ２（２Ａ）を取付けた扉用解錠工具を挿入し、下部クリップ（２Ａ−ａ）の先端ガイド部（２Ａ−ａ１）をスイッチサムターン側面下部に接触させ、扉用解錠工具の操作によりクリップ２（２Ａ）をスイッチサムターン方向に押し込む事により、上部クリップ（２Ａ−ｂ）の角度補正ガイド部（２Ａ−ｂ１）は、スイッチサムターンの上面の窪み部分に接触し、更に扉開錠用工具を操作し、クリップ２（２Ａ）を押し込む事により、反発部（Ｂ）のスプリング部（Ｂｂ）が扉下方向へ屈折し、同時に上部クリップ（２Ａ−ｂ）の角度補正ガイド部（２Ａ−ｂ１）はスイッチサムターンのツマミ上面のスイッチボタンとツマミの取付部の間を押える状態となり、上クリップ部（２Ａ−ｂ２）中央の屈折した部分が、サムターン上面の窪みの部分を押える状態となり、更に扉用解錠工具を操作しクリップ２（２Ａ）を押し込む事により、サムターンツマミ上部の窪みを押えている上クリップ部（２Ａ−ｂ２）の中央部の支点とし、下クリップ部（２Ａ−ａ２）の屈折した中央部分がサムターンツマミの下部の窪みへ進行し、上下のクリップ部（（２Ａ−ａ２）（２Ａ−ｂ２））の中央屈折部が、サムターンツマミの窪みを挟み、扉用解錠工具挿入部を軸とし、扉開錠用工具先端部を戸先方向移動させる事により、クリップ２（２Ａ）の上下ストッパー部（（２Ａ−ａ２）（２Ａ−ｂ２））がサムターンツマミ側面部に接触するまでクリップ２（２Ａ）が押される事により、上下クリップ部（（２Ａ−ａ２）（２Ａ−ｂ２））の楕円状の面部分の扉側の側面がサムターンツマミ中央の取付部分に接触し、室内側の側面は卵型の丸みを帯びたスイッチボタンを確実に押し、スイッチサムターンの回動防止の機構を解除し、扉用解錠工具の操作により加えていたスプリング部（Ｂｂ）を屈折させていた力を解除する事により、スプリング部（Ｂｂ）は形状復帰し、扉用解錠工具の挿入部とサムターンツマミの回転軸を結ぶ線上迄回動させる事が出来る。
３、  クリップ３（３Ａ）［図５］［図６］及びクリップ４（４Ａ）［図７］［図８］は、可倒式サムターン［図２０］を解錠するクリップで、可倒式サムターンは、施錠時にサムターンツマミ部分が扉下方向に倒れる機構を持ったサムターンで、通常に解錠を行う際に人の指でサムターンツマミ部分を起し回動させ解錠する為、サムターンツマミ部分は、サムターンツマミの取付部外周よりも扉下方向に突出した部分があると同時に可倒した状態で、サムターンツマミ取付部とサムターンツマミの間に隙間がある。
クリップ３（３Ａ）は、室内側から見て扉中心部から左側に可倒式サムターンが取付けられている際に使用し、クリップ４（４Ａ）は、室内側から見て扉中心部から右側に可倒式サムターンが取付けられている際に使用する。
その解錠方法は、可倒式サムターンの取付位置により、クリップ３（３Ａ）又は、クリップ４（４Ａ）を選択し、反発部（Ｂ）と連結し扉開錠用工具に取付け、レンズ付き覗き窓の取付孔から挿入し、下部クリップ（（３Ａ−ａ）（４Ａ−ａ））のいずれかの先端ガイド部（（３Ａ−ａ１）（４Ａ−ａ１））を扉下方向に倒れ突出したサムターンツマミ部分の扉側に接触させ可倒式サムターンを起し、一般的なサムターンと同様に扱える状態とし、以降は、［０００９］（１）（ア）に記載の解錠方法により解錠が可能となる。
４、  クリップ５（５Ａ）［図９］［図７］は、公営住宅やアパート等に多く使用されている楕円状のサムターン［図２１］を解錠する為のクリップである。
クリップ５（５Ａ）の使用方法は、クリップ５（５Ａ）と反発部（Ｂ）を連結し、扉解錠用工具の先端に取付け、解錠しようとする扉に取付けられたレンズ付き覗き窓を取外し、その取付孔から扉用解錠用工具に装着されたクリップ５（５Ａ）の下クリップ部（５Ａ−ａ）を扉下側、上クリップ部（５Ａ−ｂ）を扉上側にして挿入し、扉用解錠用工具を操作し、下クリップ部（５Ａ−ａ）の先端ガイド部（５Ａ−ａ１）の扉上部方向の面をサムターンツマミの側面下側に接触させた状態で、扉用解錠工具を操作しクリップ５（５Ａ）をサムターン側に圧しこむ事により、角度補正ガイド部（５Ａ−ｂ１）が楕円状のサムターンツマミ上部のサムターンツマミ中心部より扉中心部側の面に接触し、さらにサムターン側に圧しこむ事により、下部クリップ（５Ａ−ａ）は、扉下方向へ、上部クリップ（５Ａ−ｂ）は、扉上方向へ押し広げる力が加わり、角度補正ガイド部（５Ａ−ｂ１）と上クリップ部（５Ａ−ｂ２）の境の屈折部がサムターン上面左右中心部方向へ進行すると同時に、反発部（Ｂ）のスプリング部（Ｂｂ）は、扉下方向に屈折し、先端ガイド部（５Ａ−ａ１）と下クリップ部（５Ａ−ａ１）の境の屈折した部分がサムターン下面左右中心部方向へ進行した状態となり、扉開錠用工具先端部を戸先方向移動させる事により、サムターン上面に接触していた角度補正ガイド部（５Ａ−ｂ１）と上クリップ部（５Ａ−ｂ２）の境の屈折部がサムターン上面左右中心部を越え、サムターン下面に接触していた先端ガイド部（５Ａ−ａ１）と下クリップ部（５Ａ−ａ２）の境の屈折部がサムターン上面左右中心部を越える事となり、楕円状のサムターン上下の最大幅部を越える事となり、下部クリップ、（５Ａ−ａ）及び上部クリップ（５Ａ−ｂ）は、素材の持つ弾性により形状復帰し湾曲した形状の下クリップ（５Ａ−ａ２）と上クリップ（５Ａ−ｂ２）により楕円状のサムターンは上下からしっかりと挟まれる事になり、同時に屈折していたスプリング部（Ｂｂ）が形状復帰し、楕円状のサムターンは、扉用解錠工具の挿入部とサムターンツマミの回転軸を結ぶ線上迄回動する。
更に扉開錠用工具を操作し、反発部反発部（Ｂ）のスプリング部（Ｂｂ）を扉上部方向へ屈折させながら、クリップ１（１Ａ）をサムターン側に圧しこむ事により、サムターンは、解錠方向へ回動し解錠となる。
【符号の説明】
【００１０】１Ａ        クリップ１
１Ａ−ａ    クリップ１の下側クリップ
１Ａ−ａ１  クリップ１の下側クリップの先端ガイド部
１Ａ−ａ２  クリップ１の下側クリップの下クリップ部
１Ａ−ａ３  クリップ１の下側クリップの下ストッパー部
１Ａ−ａ４  クリップ１の下側クリップの下クリップ保持部
１Ａ−ｂ    クリップ１の上側クリップ
１Ａ−ｂ１  クリップ１の上側クリップの角度補正ガイド部
１Ａ−ｂ２  クリップ１の上側クリップの上クリップ部
１Ａ−ｂ３  クリップ１の上側クリップの上ストッパー部
１Ａ−ｂ４  クリップ１の上側クリップの上クリップ保持部
２Ａ        クリップ２
２Ａ−ａ    クリップ２の下側クリップ
２Ａ−ａ１  クリップ２の下側クリップの先端ガイド部
２Ａ−ａ２  クリップ２の下側クリップの下クリップ部
２Ａ−ａ３  クリップ２の下側クリップの下ストッパー部
２Ａ−ａ４  クリップ２の下側クリップの下クリップ保持部
２Ａ−ｂ    クリップ２の上側クリップ
２Ａ−ｂ１  クリップ２の上側クリップの角度補正ガイド部
２Ａ−ｂ２  クリップ２の上側クリップの上クリップ部
２Ａ−ｂ３  クリップ２の上側クリップの上ストッパー部
２Ａ−ｂ４  クリップ２の上側クリップの上クリップ保持部
３Ａ        クリップ３
３Ａ−ａ    クリップ３の下側クリップ
３Ａ−ａ１  クリップ３の下側クリップの先端ガイド部
３Ａ−ａ２  クリップ３の下側クリップの下クリップ部
３Ａ−ａ３  クリップ３の下側クリップの下ストッパー部
３Ａ−ａ４  クリップ３の下側クリップの下クリップ保持部
３Ａ−ｂ    クリップ３の上側クリップ
３Ａ−ｂ１  クリップ３の上側クリップの角度補正ガイド部
３Ａ−ｂ２  クリップ３の上側クリップの上クリップ部
３Ａ−ｂ３  クリップ３の上側クリップの上ストッパー部
３Ａ−ｂ４  クリップ３の上側クリップの上クリップ保持部
４Ａ        クリップ４
４Ａ−ａ    クリップ４の下側クリップ
４Ａ−ａ１  クリップ４の下側クリップの先端ガイド部
４Ａ−ａ２  クリップ４の下側クリップの下クリップ部
４Ａ−ａ３  クリップ４の下側クリップの下ストッパー部
４Ａ−ａ４  クリップ４の下側クリップの下クリップ保持部
４Ａ−ｂ    クリップ４の上側クリップ
４Ａ−ｂ１  クリップ４の上側クリップの角度補正ガイド部
４Ａ−ｂ２  クリップ４の上側クリップの上クリップ部
４Ａ−ｂ３  クリップ４の上側クリップの上ストッパー部
４Ａ−ｂ４  クリップ４の上側クリップの上クリップ保持部
５Ａ        クリップ５
５Ａ−ａ    クリップ５の下側クリップ
５Ａ−ａ１  クリップ５の下側クリップの先端ガイド部
５Ａ−ａ２  クリップ５の下側クリップの下クリップ部
５Ａ−ａ３  クリップ５の下側クリップの下ストッパー部
５Ａ−ａ４  クリップ５の下側クリップの下クリップ保持部
５Ａ−ｂ    クリップ５の上側クリップ
５Ａ−ｂ１  クリップ５の上側クリップの角度補正ガイド部
５Ａ−ｂ２  クリップ５の上側クリップの上クリップ部
５Ａ−ｂ３  クリップ５の上側クリップの上ストッパー部
５Ａ−ｂ４  クリップ５の上側クリップの上クリップ保持部
Ａｃ        クリップ保持部
Ａｃ−１    クリップ保持部の上下クリップ連結部
Ａｃ−２    クリップ保持部のクリップ接続部
Ｂ          反発部
Ｂａ        反発部のクリップ着脱部
Ｂｂ        反発部のスプリング部
Ｂｃ        反発部の装着部
Ｂｃ−１    反発部の装着部のスプリング部接続部
Ｂｃ−２    反発部の装着部の固定螺子部
Ｂｃ−３    反発部の装着部の固定用ナット
【図１】
2017096078.tif 000003
【図２】
2017096078.tif 000004
【図３】
2017096078.tif 000005
【図４】
2017096078.tif 000006
【図５】
2017096078.tif 000007
【図６】
2017096078.tif 000008
【図７】
2017096078.tif 000009
【図８】
2017096078.tif 000010
【図９】
2017096078.tif 000011
【図１０】
2017096078.tif 000012
【図１１】
2017096078.tif 000013
【図１２】
2017096078.tif 000014
【図１３】
2017096078.tif 000015
【図１４】
2017096078.tif 000016
【図１５】
2017096078.tif 000017
【図１６】
2017096078.tif 000018
【図１７】
2017096078.tif 000019
【図１８】
2017096078.tif 000020
【図１９】
2017096078.tif 000021
【図２０】
2017096078.tif 000022
【図２１】
2017096078.tif 000023
【図２２】
2017096078.tif 000024